(57)【要約】【課題】フィルムカバーやオプション機器の着脱を容易に行うと同時に、外観デザインを容易に変更することができる情報機器を提供する。【解決手段】表示部を保持する筐体であるディスプレイユニット３を備えた情報機器１は、ディスプレイユニット３の筐体側面１０の外周にワイヤ固定溝１１が設けられる。ワイヤ固定溝１１にはワイヤフレームを用いることで、フィルムカバーやオプション機器の着脱を容易に行うことができる。【選択図】  図２
2008293201.tif 000002
【特許請求の範囲】
【請求項１】
表示部と、前記表示部を保持する筐体を備えた情報機器において、
前記筐体の側面外周には、連続的に設けられたワイヤ固定溝を有し、
前記ワイヤ固定溝は、ワイヤフレームが装着可能な構造を有することを特徴とする情報機器。
【請求項２】
前記筐体のワイヤ固定溝には、前記筐体の背面及び側面の少なくとも一部を覆うためのフィルムカバーを備えたワイヤフレームが装着されたことを特徴とする請求項１に記載の情報機器。
【請求項３】
前記筐体のワイヤ固定溝には、前記筐体の側面に、前記情報機器のオプション機器が取り付け可能な構造を有するワイヤフレームが装着されたことを特徴とする請求項１に記載の情報機器。
【発明の詳細な説明】
【技術分野】
【０００１】
本発明は情報機器に係り、特に情報機器の筐体に対し、簡易にフィルムカバー、オプション機器等の着脱が可能な情報機器に関する。
【背景技術】
【０００２】
ノートブック型のパーソナルコンピュータや携帯電話端末を代表とする情報機器は、情報機器に備えられた機能のみならず、外観のデザイン性が求められる。
【０００３】
従来、情報機器にデザイン性を備えたものとして、特許文献１に示された薄型画像表示装置が知られている。
【０００４】
この薄型画像表示装置は、外観デザインを雰囲気に合わせて変更することができる薄型画像表示装置である。
【０００５】
薄型画像表示装置の筐体の側面には、上下方向に伸びる凹溝が設けられる。このような薄型画像表示装置に対し、別途形成された着脱自在に取り付けることができるカバーを凹溝に取り付けることにより、薄型画像表示装置の外観デザインを雰囲気に合わせて変更することが可能であった。
【特許文献１】特開２０００−２４４１３５号公報
【発明の開示】
【発明が解決しようとする課題】
【０００６】
特許文献１に示された薄型画像表示装置は、薄型画像表示装置の凹溝にカバーを取り付けるために、例えば、カバーの側面内側に係止手段として突起を有する板バネ等を取り付けることにより、薄型画像表示装置の凹溝とカバーの係合を行うものであった。
【０００７】
よって、薄型画像表示装置へのカバーの装着には係止手段を用いる必要があり、外観デザインを変更するためのカバーの装着方法については、簡易性に欠けるものがあった。
【０００８】
また、情報機器に装着するカバーの材料として木材やアルミ材等を用いた場合、カバー装着後の情報機器が重厚・複雑化するという欠点があった。
【０００９】
また、軽量・薄型化するために、情報機器の筐体部にシール状のカバーを貼り付けることで外観デザインを変更するものもあった。
【００１０】
しかし、カバーの着脱を自在に行うことが困難であり、さらにカバーが剥がれやすいという欠点があった。
【００１１】
本発明はこのような事情を考慮してなされたもので、情報機器の筐体側面に沿ってワイヤ固定溝を設けることにより、ワイヤフレームを用いて容易にフィルムカバーやオプション機器が着脱可能な情報機器を提供することを目的とする。
【００１２】
本発明はさらに、情報機器の筐体側面に沿ってワイヤ固定溝を設けることにより、情報機器の外観デザインを容易に変更することができる情報機器を提供することを目的とする。
【課題を解決するための手段】
【００１３】
本発明に係る情報機器は、上述した課題を解決するために、請求項１に記載したように、表示部と、前記表示部を保持する筐体を備えた情報機器において、前記筐体の側面外周には、連続的に設けられたワイヤ固定溝を有し、前記ワイヤ固定溝は、ワイヤフレームが装着可能な構造を有することを特徴とするものである。
【００１４】
本発明に係る情報機器は、上述した課題を解決するために、請求項２に記載したように、前記筐体のワイヤ固定溝には、前記筐体の背面及び側面の少なくとも一部を覆うためのフィルムカバーを備えたワイヤフレームが装着されたことを特徴とするものである。
【００１５】
本発明に係る情報機器は、上述した課題を解決するために、請求項３に記載したように、前記筐体のワイヤ固定溝には、前記筐体の側面に、前記情報機器のオプション機器が取り付け可能な構造を有するワイヤフレームが装着されたことを特徴とするものである。
【発明の効果】
【００１６】
本発明に係る情報機器によれば、情報機器の筐体側面に沿ってワイヤ固定溝を設けることにより、ワイヤフレームを備えたフィルムカバーやオプション機器を容易に着脱することが可能である。
【００１７】
また、本発明に係る情報機器によれば、情報機器の筐体側面に沿ってワイヤ固定溝を設けることにより、情報機器の外観デザインを容易に変更することができる。
【発明を実施するための最良の形態】
【００１８】
本発明に係る情報機器の実施形態について、添付図面を参照して説明する。
【００１９】
［第１実施形態］
図１は、本発明に係る情報機器の第１実施形態をノートブック型のパーソナルコンピュータに適用した例を示す図である。
【００２０】
パーソナルコンピュータ１は、第１の筐体としてのコンピュータ本体２及び第２の筐体としてのディスプレイユニット３を備える。
【００２１】
コンピュータ本体２は、筐体上面の中央部にキーボード４を有する。ディスプレイユニット３は、表示部５を有する。表示部５には、液晶ディスプレイ（ＬＣＤ）、プラズマディスプレイ（ＰＤＰ）、有機ＥＬディスプレイ又はＣＲＴディスプレイ等からなる薄型表示パネルが組み込まれる。
【００２２】
表示部５としてのディスプレイユニット３は、コンピュータ本体２の上面を覆う閉塞位置とコンピュータ本体２の上面が露出する開放位置との間を回動自在に変化するように、コンピュータ本体２の奥手側の端部に設けられたヒンジ６に取り付けられる。
【００２３】
図２は、本発明に係る情報機器を、ノートブック型のパーソナルコンピュータ１に適用した場合の簡略図である。
【００２４】
パーソナルコンピュータ１において、第２の筐体としてのディスプレイユニット３の四側面である筐体側面１０（１０ａ、１０ｂ、１０ｃ、１０ｄ）には、１条のワイヤ固定溝１１（１１ａ、１１ｂ、１１ｃ、１１ｄ）が設けられる。ワイヤ固定溝１１は、ディスプレイユニット３の筐体側面１０の外周を囲むように、例えば直線状に設けられる。
【００２５】
図３はパーソナルコンピュータ１が開放された状態であって、ディスプレイユニット３を自由端側から見た上面図である。ディスプレイユニット３における筐体側面１０ａの両側から直行方向に延び、互いに平行な筐体側面１０ｂ、１０ｄが形成される。図３に示すように、ワイヤ固定溝１１は、例えば横断半円状の凹溝に、筐体側面１０に沿って連続的に設けられる。
【００２６】
図４は、ワイヤフレーム１３に固着されたフィルムカバー１２の構成図である。
【００２７】
また、図５は、図４におけるワイヤフレーム１３に固着されたフィルムカバー１２のＡ−Ａ間の断面図である。
【００２８】
ワイヤフレーム１３は、例えば伸縮性・弾力性のある繊維、ラバー又は形状記憶合金等で構成され、結合部を設けず、連続的な構造を有する。
【００２９】
フィルムカバー１２は、密閉性・伸縮性を有する、例えば厚さ約０．１ｍｍ以下の透明あるいは半透明性フィルムであり、ワイヤフレーム１３に固着される。フィルムカバー１２には、デザイン性を持たせるため、様々な模様や色彩が付される。また、デジタルカメラ等で撮影した任意の画像をフィルムカバー１２に印刷することで、更なるデザイン性を持たせることができる。
【００３０】
さらに、フィルムカバー１２を構成する素材により、防傷・防水機能や、断熱機能、絶縁機能等を持たせることもできる。
【００３１】
図６は、パーソナルコンピュータ１が開放された状態であって、ディスプレイユニット３を自由端側から見た上面図であり、筐体側面１０に設けられたワイヤ固定溝１１に、フィルムカバー１２が固着されたワイヤフレーム１３が装着された場合の構成図である。また図６では、筐体側面１０ａを覆うフィルムカバー１２、及び筐体側面１０ａに装着されたワイヤフレーム１１ａは省略し、図示しないものとする。
【００３２】
フィルムカバー１２は、第２の筐体としてのディスプレイユニット３の筐体背面１５、及び筐体側面１０の一部を覆うように取り付けられ、これによりパーソナルコンピュータ１の外観デザインを変更させることができる。
【００３３】
図６に示すように、ワイヤ固定溝１１には、ディスプレイユニット３の周側面（周方向）に沿ってワイヤフレーム１３が巻き付けられて装着されることにより、固定される。また、ワイヤフレーム１３をワイヤ固定溝１１に巻き付ける際、ワイヤフレーム１３及びフィルムカバー１２は伸縮性・弾力性を有しているため、ワイヤフレーム１３及びフィルムカバー１２が伸張されることにより、容易にワイヤ固定溝１１に取り付けられる。
【００３４】
また、フィルムカバー１２は密閉性を有するため、筐体背面１５及び筐体側面１０の一部は、フィルムカバー１２により覆われることにより液密あるいは気密に密閉される。
【００３５】
また、ディスプレイユニット３のワイヤ固定溝１１からワイヤフレーム１３を取り外す場合、ワイヤフレーム１３及びフィルムカバー１２が伸張されることにより、容易にワイヤ固定溝１１から取り外すことができる。
【００３６】
以上のような本発明に係る情報機器の第１実施形態によれば、情報機器の外観デザインを簡易に変更することができ、情報機器のデザイン性を向上させることができる。
【００３７】
また、フィルムカバー１２のワイヤ固定溝１１からの着脱に特定の道具を使用することがないため、容易にフィルムカバー１２の着脱が可能である。
【００３８】
さらに、情報機器に装着するフィルムカバー１２の素材を変更することで、外観デザインの変更のみならず、情報機器に対する防傷・防水等の機能を付加することができる。
【００３９】
［第２実施形態］
本発明に係る情報機器の第２実施形態について説明する。
【００４０】
本実施形態における情報機器の一例であるパーソナルコンピュータ１は、第１実施形態と同様の構成であるため、対応する部分については同一の符号を付して説明を省略する。
【００４１】
本実施形態に係る情報機器は、ディスプレイユニット３の筐体側面１０に設けられたワイヤ固定溝１１に、ワイヤフレーム２０ａを装着することで、スピーカ２１等の情報機器についてのオプション機器を簡易に取り付けることができる。
【００４２】
図７は、ディスプレイユニット３の筐体側面１０ｂ、１０ｄの二箇所に、スピーカ２１を取り付ける場合に用いられるワイヤフレーム２０ａの構成図である。
【００４３】
図８は、スピーカ２１を、ワイヤフレーム２０ａを用いて、パーソナルコンピュータ１のディスプレイユニット３における筐体側面１０ｂ、１０ｄに取り付けた場合の構成図である。
【００４４】
ワイヤフレーム２０ａは、スピーカ２１を保持できるような、剛性のある形状記憶合金等からなる素材で構成される。
【００４５】
スピーカ２１は、ワイヤフレーム２０ａが固定され、かつディスプレイユニット３の筐体側面１０のワイヤ固定溝１１に固定可能な構造を有する。例えば、スピーカ２１にはワイヤフレーム２０ａが固定可能な溝（図示せず）が設けられる。さらに、スピーカ２１における、ディスプレイユニット３の筐体側面１０との接触面では、スピーカ２１がワイヤ固定溝１１に固定されるような構造（図示せず）を有する。
【００４６】
スピーカ２１の、筐体側面１０に設けられたワイヤ固定溝１１への取付方法の一例を説明する。
【００４７】
まずスピーカ２１にワイヤフレーム２０ａが取り付けられる。その後、スピーカ２１が取り付けられたワイヤフレーム２０ａは、図８のようにディスプレイユニット３の筐体側面１０に巻き付けられ、装着される。
【００４８】
また、ディスプレイユニット３のワイヤ固定溝１１からワイヤフレーム２０ａを取り外す場合には、ワイヤフレーム２０ａを筐体側面１０のワイヤ固定溝１１方向に対し垂直に移動させることにより、容易にワイヤ固定溝１１から取り外される。
【００４９】
また、スピーカ２１等のオプション機器は、ＵＳＢインタフェースケーブル２３等によりパーソナルコンピュータ本体２に接続される。
【００５０】
本発明に係る第２実施形態の変形例について説明する。
【００５１】
本発明に係る第２実施形態においては、ディスプレイユニット３の筐体側面１０にスピーカ２１をオプション機器として取り付けたが、取り付けるオプション機器に応じてワイヤフレームの形状を構成すれば、様々なオプション機器を取り付けることができる。
【００５２】
図９は、ディスプレイユニット３の筐体側面１０にスピーカ２１及びサブディスプレイ２２を取り付けるために構成されたワイヤフレーム２０ｂの構成図である。図１０はワイヤフレーム２０ｂを用いて、スピーカ２１及びサブディスプレイ２２をサブディスプレイユニット３の筐体側面１０に固定した場合の構成図である。
【００５３】
ワイヤフレーム２０ｂの構成、ディスプレイユニット３へのスピーカ２１及びサブディスプレイ２２の取付方法等は、上述したワイヤフレーム２０ａの構成、ディスプレイユニット３へのスピーカ２１の取付方法と同様であるため、説明は省略する。
【００５４】
以上のような、本発明に係る第２実施形態によれば、スピーカ２１等のオプション機器を、容易にディスプレイユニット３の筐体側面１０ｂ、１０ｄに取り付けることができる。
【００５５】
また、スピーカ２１等のオプション機器の有無や、ディスプレイユニット３における配置を、希望する外観デザインに応じて容易に変更することができる。
【００５６】
さらに、ディスプレイユニット３の筐体側面１０ｂ、１０ｄに対し、容易にスピーカ等のオプション機器の固定が可能なことにより、機能の拡張性を持たせることができる。
【００５７】
なお、第１、２実施形態において、ワイヤ固定溝１１の寸法は固定としたが、寸法調整手段を設けることにより、変動的にしてもよい。
【００５８】
また、図１１に示すように、ディスプレイユニット３におけるワイヤ固定溝１１を、同時に複数条設けてもよい。これにより、フィルムカバー１２及びスピーカ２１等のオプション機器を、ディスプレイユニット３に同時に取り付けることができる。なお、図１１は、パーソナルコンピュータ１が開放された状態であって、ディスプレイユニット３を自由端側から見た上面図であり、筐体側面１０に設けられたワイヤ固定溝１１に、フィルムカバー１２が固着されたワイヤフレーム１３、及びオプション機器を固定するためのワイヤフレーム２０が装着された場合の構成図である。また図１１では、筐体側面１０ａを覆うフィルムカバー１２、及び筐体側面１０ａに装着されたワイヤフレーム１３、２０は省略し、図示しないものとする。
【００５９】
さらに、第１、２実施形態において、ディスプレイユニット３における筐体側面１０にワイヤ固定溝１１を設けたが、図２における第１の筐体としてのコンピュータ本体２の側面３０にワイヤ固定溝を設けてもよい。
【００６０】
またさらに、第１、２実施形態においては、本発明に係る情報機器の一例としてノートブック型のパーソナルコンピュータ１を用いたが、携帯電話端末、オーディオプレーヤ等の、種々の情報機器に本発明を適用することができる。
【００６１】
またさらに、ワイヤフレーム１３、２０ａ、２０ｂは結合部を設けず連続的な構造を有するとしたが、ジョイントを設け、結合部を設けた形状としてもよい。
【００６２】
以上のような本発明に係る情報機器によれば、情報機器の筐体側面に沿ってワイヤ固定溝を設けることにより、ワイヤフレームを備えたフィルムカバーやオプション機器を容易に取り付けることができ、さらに外観デザインの容易な変更が可能である。
【図面の簡単な説明】
【００６３】
【図１】本発明に係る情報機器であるノートブック型のパーソナルコンピュータの構成図。
【図２】本発明に係る情報機器であるノートブック型のパーソナルコンピュータの構成を示した簡略図。
【図３】本発明に係る情報機器であるノートブック型のパーソナルコンピュータが開放状態である場合のディスプレイユニットを自由端側から見た上面図。
【図４】ワイヤフレームに固着されたフィルムカバーの構成図。
【図５】ワイヤフレームに固着されたフィルムカバーの断面図。
【図６】ワイヤ固定溝にフィルムカバーが固着されたワイヤフレームが装着されたディスプレイユニットの上面図。
【図７】筐体側面にスピーカを取り付ける場合に用いられるワイヤフレームの構成図。
【図８】スピーカを筐体側面に取り付けた場合の構成図。
【図９】筐体側面にスピーカ及びサブディスプレイを取り付ける場合に用いられるワイヤフレームの構成図。
【図１０】スピーカ及びサブディスプレイを筐体側面に取り付けた場合の構成図。
【図１１】本発明に係る情報機器の変形例を適用した、ワイヤ固定溝を２条設けた場合のディスプレイユニットの上面図。
【符号の説明】
【００６４】
１  パーソナルコンピュータ
２  コンピュータ本体
３  ディスプレイユニット
４  キーボード
５  表示部
６  ヒンジ
１０、１０ａ、１０ｂ、１０ｃ、１０ｄ  筐体側面
１１、１１ａ、１１ｂ、１１ｃ、１１ｄ  ワイヤ固定溝
１２  フィルムカバー
１３  ワイヤフレーム
１５  筐体背面
２０、２０ａ、２０ｂ  ワイヤフレーム
２１  スピーカ
２２  サブディスプレイ
２３  ＵＳＢインタフェースケーブル
３０  コンピュータ本体側面
【図１】
2008293201.tif 000003
【図２】
2008293201.tif 000004
【図３】
2008293201.tif 000005
【図４】
2008293201.tif 000006
【図５】
2008293201.tif 000007
【図６】
2008293201.tif 000008
【図７】
2008293201.tif 000009
【図８】
2008293201.tif 000010
【図９】
2008293201.tif 000011
【図１０】
2008293201.tif 000012
【図１１】
2008293201.tif 000013